(57)【要約】【課題】ディスプレイの表示面の前方に配置されて表示面上の一部領域を囲むように視認される環状部材の前面側の発光部を発光させる光源のための電気配線を、環状部材の幅を極力拡げず脱落しないように環状部材内に収納すること。【解決手段】リング部材２の発光部を発光表示させるＬＥＤチップ２３１，２３２を実装面２２６に実装したＦＰＣ２２を、リング部材２の開口２１３から収納溝２１２へのＦＰＣ２２の挿入方向に実装面２２６が延在するように収納溝２１２に収納し、ＬＥＤチップ２３１，２３２及びＦＰＣ２２が収納された収納溝２１２の開口２１３を塞ぐ抑え部材２４を、ＦＰＣ２２を避けて収納溝２１２の雌ねじ部２１４に取り付けねじ２５によって取り付ける構成とする。【選択図】図２
2008032972.tif 000002
【特許請求の範囲】
【請求項１】
ディスプレイの表示面の前方に配置した、該表示面上の一部領域を囲むように視認される環状部材の裏面側に開口を有する収納溝に、前記環状部材の周方向に間隔をおいて設けられた複数の光源と、それら各光源が実装面に実装された給電用の電気配線とを収納し、該電気配線から供給される電力により点灯する前記各光源によって、前記環状部材の前面側に設けられた複数の発光部をそれぞれ発光させる表示装置であって、
前記電気配線は、前記開口から前記収納溝への前記電気配線の挿入方向に前記実装面が延在するように前記収納溝に収納されており、
前記各光源及び前記電気配線が収納された前記収納溝の開口を塞ぐ抑え部材が、前記電気配線を避けて前記収納溝に挿入された固定部材により前記環状部材に固定されている、
ことを特徴とする表示装置。
【請求項２】
前記抑え部材は、前記収納溝の開口を塞いだ状態で前記挿入方向に沿って前記収納溝の内部に延出する複数の平坦面を接続して構成された環状の補強片を有しており、前記電気配線は、前記各光源に対応する複数の実装面を接続して環状に構成されていて、該各実装面を前記補強片の対応する前記各平坦面に各々沿わせて前記収納溝内に配置されている請求項１記載の表示装置。
【請求項３】
前記電気配線の縁部と前記抑え部材とのうちいずれか一方に係止片が設けられ、前記電気配線の縁部と前記抑え部材とのうちいずれか他方に、前記電気配線を前記補強片に沿って配置した状態で前記係止片を係止可能な係止部が設けられている請求項２記載の表示装置。
【発明の詳細な説明】
【技術分野】
【０００１】
本発明は、液晶ディスプレイや有機ＥＬディスプレイ、プラズマディスプレイ等の表示装置に関するものである。
【背景技術】
【０００２】
例えば車両における各種表示を行うコンビネーションメータには、アナログ計器でそれまで表示していた情報を液晶ディスプレイ等によりデジタル表示するようにしたものがあるが（例えば特許文献１，２）、それらは単に液晶ディスプレイ等における表示内容を適宜切り換えるだけのものであり、表示が平面的であることからメリハリに欠けるという側面があった。
【０００３】
そこで本出願人は過去に、液晶ディスプレイの表示面の前方に配置した環状部材により、液晶ディスプレイの表示面上の一部領域を囲むように表示面の前方から視認させる車両用表示装置を提案した（特許文献３）。
【特許文献１】特開昭６２−５８１１２号公報
【特許文献２】特開平１１−２４８４９０号公報
【特許文献３】特開２００５−２４１６２６号公報
【発明の開示】
【発明が解決しようとする課題】
【０００４】
ところで、本出願人は、環状部材に所定間隔で複数のＬＥＤ発光部を設け、これらＬＥＤ発光部を順次発光させることで環状部材があたかも回転しているかのように視認させる等の、表示にエンターテインメント性を持たせた車両用表示装置を、特願２００４−３１８８６２において提案している。
【０００５】
このような車両用表示装置では、各ＬＥＤ発光部のＬＥＤに電流を流すための電気配線と、この電気配線を環状部材の内部に収納するための空間とが必要となるので、例えば、薄型のＦＰＣ（フレキシブル配線基板）を電気配線として用い、これを、環状部材の前方からの見栄えに影響しないよう裏面側に開口した収納溝の内部空間に収納することになる。
【０００６】
また、収納された電気配線が環状部材から脱落しないように収納溝の開口を塞ぐ必要があるので、開口に対応する形状の抑え部材をネジ等の固定部材で環状部材に固定するために、開口から挿入される固定部材の収納スペースも電気配線の収納スペースに加えて収納溝内に確保する必要がある。
【０００７】
しかし、電気配線と固定部材の両方の収納スペースを収納溝内に確保するとなると、それだけ収納溝乃至環状部材の幅を大きくせざるを得ず、その結果、環状部材によって隠される液晶ディスプレイの表示領域が多くなって、表示の視認性を悪化させると共に全体の見栄えを損ねてしまいかねない。
【０００８】
かと言って、収納溝乃至環状部材の幅が拡がらないように固定部材の収納スペースのみを収納溝内に確保することにし、その代わりに、固定部材が挿入されている箇所で電気配線を分断してしまうと、分断した各電気配線を個別に収納溝から環状部材の外部に引き出さなければならなくなり、電気配線の引き回しが煩雑となるので好ましくない。
【０００９】
本発明は前記事情に鑑みなされたもので、本発明の目的は、上記した車両用表示装置を始めとする、液晶ディスプレイや有機ＥＬディスプレイ、プラズマディスプレイ等のディスプレイの表示面の前方に、表示面上の一部領域を囲むように視認される環状部材を配置する表示装置において、環状部材の前面側に複数の発光部を設けて各発光部を環状部材の内部に収納した複数の光源によりそれぞれ発光させる場合、環状部材の幅を極力拡げずに光源のための電気配線を環状部材内に脱落しないように収納することができる表示装置を提供することにある。
【課題を解決するための手段】
【００１０】
前記目的を達成するため請求項１に記載した本発明の表示装置は、ディスプレイの表示面の前方に配置した、該表示面上の一部領域を囲むように視認される環状部材の裏面側に開口を有する収納溝に、前記環状部材の周方向に間隔をおいて設けられた複数の光源と、それら各光源が実装面に実装された給電用の電気配線とを収納し、該電気配線から供給される電力により点灯する前記各光源によって、前記環状部材の前面側に設けられた複数の発光部をそれぞれ発光させる表示装置であって、前記電気配線が、前記開口から前記収納溝への前記電気配線の挿入方向に前記実装面が延在するように前記収納溝に収納されており、前記各光源及び前記電気配線が収納された前記収納溝の開口を塞ぐ抑え部材が、前記電気配線を避けて前記収納溝に挿入された固定部材により前記環状部材に固定されていることを特徴とする。
【００１１】
また、請求項２に記載した本発明の表示装置は、請求項１に記載した本発明の表示装置において、前記抑え部材が、前記収納溝の開口を塞いだ状態で前記挿入方向に沿って前記収納溝の内部に延出する複数の平坦面を接続して構成された環状の補強片を有しており、前記電気配線が、前記各光源に対応する複数の実装面を接続して環状に構成されていて、該各実装面を前記補強片の対応する前記各平坦面に各々沿わせて前記収納溝内に配置されている構成とした。
【００１２】
さらに、請求項３に記載した本発明の表示装置は、請求項２に記載した本発明の表示装置において、前記電気配線の縁部と前記抑え部材とのうちいずれか一方に係止片が設けられ、前記電気配線の縁部と前記抑え部材とのうちいずれか他方に、前記電気配線を前記補強片に沿って配置した状態で前記係止片を係止可能な係止部が設けられている構成とした。
【発明の効果】
【００１３】
請求項１に記載した本発明の表示装置によれば、環状部材の収納溝内において電気配線が必要とする環状部材の幅方向のスペースが、電気配線の実装面の幅方向の寸法に比べて圧倒的に小さい実装面の厚み方向の寸法分に過ぎない。
【００１４】
このため、開口を塞ぐ抑え部材の固定部材が挿入される収納溝箇所において、電気配線を分断せず固定部材と共に収納溝内に収納する構成としても、実装面を環状部材の前面又は裏面側に向けて電気配線を収納溝内に収納する場合に比べて、環状部材の幅方向に必要な収納溝のスペースを抑え、それにより、環状部材の幅を極力細く抑えることができる。
【００１５】
また、請求項２に記載した本発明の表示装置によれば、請求項１に記載した本発明の表示装置において、電気配線は環状であっても、各光源が各々実装される各実装面はそれぞれ、抑え部材の対応する各平坦面に沿って配置されることで平坦に延在することになるので、実装面と実装された光源との電気的接続状態が実装面の湾曲等により不良となるのを防ぐことができる。
【００１６】
さらに、請求項３に記載した本発明の表示装置によれば、請求項２に記載した本発明の表示装置において、係止片の係止部への係止によって、固定部材により環状部材に固定される抑え部材の補強片に対して電気配線を固定し、収納溝内で電気配線を位置決めすることができる。
【発明を実施するための最良の形態】
【００１７】
以下、本発明の実施形態について図面を参照しながら説明する。
【００１８】
図１は本発明の表示装置の一実施形態に係る車両用表示装置を示す分解斜視図、図２は図１に示す環状部材周りの裏面側から見た分解斜視図、図３は図２に示すＦＰＣの展開状態における要部拡大平面図、図４は図３に示すＦＰＣの抑え部材に対する取り付け状態を示す要部拡大斜視図、図５は図２に示す環状部材周りの組み付け状態を示す要部拡大斜視図である。
【００１９】
図１において、車両用表示装置１は、リング部材（請求項中の環状部材に相当）２と、液晶ディスプレイ（以下、ＬＣＤと略記する。請求項中のディスプレイに相当）３と、リング部材２に連結されてリング部材２を移動させるための移動機構４と、裏ケース５とからなり、これらを組み付けて構成される。
【００２０】
リング部材２は、ＬＣＤ３の表示面３ａの前面のほぼ中央に配置され、ＬＣＤ３の裏面に配置された移動機構４の駆動により、水平方向に直線移動可能になっている。
【００２１】
リング部材２は、不透明なプラスチック材料から形成され、中央に形成された円形の開口部２ａにはレンズ６が嵌合されている。レンズ６は、凸型、凹型等のいずれの形状のものでも良いが、ここでは凸型レンズを用いている。
【００２２】
ＬＣＤ３の表示面３ａには、車両の走行状態を示す種々の情報を表示することができる。たとえば、表示面３ａには、車両の走行状態の計測量を示す略円形の文字板及び指針に相当する表示意匠を表示面３ａの中央位置に表示することができる。この表示意匠の例としては、エンジン回転数を指示するためのタコメータであり、その外周付近にタコメータ用目盛が表示される。また、エンジンをかけた時の実際のエンジン回転数計測量に対応して回転してタコメータ用目盛を指示する指針も表示される。円形文字板と指針の表示は、アナログ指示計器を構成する。表示面３ａの中央位置以外の領域には、タコメータ以外のメータや関連情報等の表示が行われる。
【００２３】
車両用表示装置１は、リング部材２の移動に同期して、タコメータの表示意匠も表示面３ａの中央位置から移動させ、タコメータの表示意匠が、常にリング部材２に囲まれるように表示させる。
【００２４】
尚、ＬＣＤ３による意匠表示は、その文字板をリング部材２の内側で回転移動させることもでき、例えば意匠表示がタコメータである場合には、文字板のセーフティーゾーン（０〜６０００回転；数字目盛「０」〜「６」）やレッドゾーン（７０００〜８０００回転；数字目盛「７」および「８」）のリング部材２に対する相対位置が変わる。
【００２５】
そのため、本実施形態の車両用表示装置１では、ＬＣＤ３による意匠表示の回転移動に合わせて例えばタコメータにおけるセーフティーゾーンやレッドゾーンの目盛の位置を移動して表示させるために、リング部材２の前面２１１に所定の間隔（たとえば、等間隔）で複数（たとえば、１２個）の発光部２Ａ〜２Ｌが設けられている。発光部２Ａ〜２Ｌは、表示意匠の目盛における各数字の位置に合わせて形成されたスリットで構成されており、各数字に対応する目盛として役立つ。
【００２６】
これらの発光部２Ａ〜２Ｌのうち、タコメータのセーフティーゾーンを示す０〜６０００回転を指示する数字目盛「０」〜「６」に対応する位置にある発光部は白色で発光表示され、円形文字板の右下付近に表示されるレッドゾーンを示す７０００〜８０００回転を指示する数字目盛「７」および「８」に対応する位置にある発光部は赤色で発光表示され、数字目盛のない位置にある発光部は発光表示されない。
【００２７】
したがって、ＬＣＤ３により文字板の意匠表示が回転移動されると、回転移動後のセーフティーゾーン（数字目盛「０」〜「６」）やレッドゾーン（数字目盛「７」および「８」）、数字目盛のない位置に合わせて、白色、赤色で発光表示される発光部や消灯される発光部の位置が変更されることになる。
【００２８】
そして、各発光部２Ａ〜２Ｌを適宜発光表示させるため光源系を含むリング部材２周りの構成は、図２に示されている。つまり、リング部材２には、ＬＣＤ３に対向する背面側に開口２１３を有する収容溝２１２が形成されており、この収容溝２１２には、平坦な実装面２２６を複数接続して正多角形状の環状に構成したＦＰＣ２２が収納された後、収容溝２１２の開口２１３は、環状の抑え部材２４により塞がれる。各実装面２２６には、表裏両側にそれぞれＬＥＤチップ２３１，２３２（請求項中の光源に相当）が実装されている。
【００２９】
尚、ＦＰＣ２２は、図３に示すように、直線状の主基板部２２１とその中間箇所から分岐する副基板部２２８とにより、展開した状態で略Ｔ字状を呈するように構成されており、主基板部２２１には、副基板部２２８に連なる２つずつの導電パターン束２２２，２２３、２２４，２２５が、互いに絶縁して設けられている。
【００３０】
各導電パターン束２２２，２２３、２２４，２２５は複数の導電パターンをそれぞれ有しており、各導電パターンの終端は、主基板部２２１の延在方向に間隔をおいた互いに異なる箇所において、主基板部２２１の同じ面側に露出して、ＬＥＤチップ２３１，２３２が各々実装されるランド（図示せず）を構成している。
【００３１】
そして、ＬＥＤチップ２３１，２３２側を表にして２つの導電パターン束２２２，２２３、２２４，２２５の中心でＦＰＣ２２を折り返して重ね、さらに、各ＬＥＤチップ２３１，２３２の中間箇所で折り曲げることで、図２に示すような、表裏両側にそれぞれＬＥＤチップ２３１，２３２を実装した正多角形の環状に形成され、その正多角形状の各辺の部分がそれぞれ、前述した実装面２２６を構成することになる。
【００３２】
尚、図３中引用符号２２７は、１又は複数の実装面２２６に対応して主基板部２２１の一方の片に形成された、抑え部材２４への係止用の係止片を示す。
【００３３】
抑え部材２４は、開口２１３を塞いだ状態で収納溝２１２内に延出する複数の平坦面２４２を有しており、これら複数の平坦面２４２を接続することで、ＦＰＣ２２に対応する正多角形状の環状の補強片２４１を構成している。
【００３４】
この抑え部材２４の補強片２４１の外周には、上述した正多角形の環状に形成されたＦＰＣ２２が嵌装され、その状態で、図４に示すように、ＦＰＣ２２の係止片２２７を、これに対応して抑え部材２４に形成された係止部２４３に係止することで、補強片２４１の各平坦面２４２に沿ってＦＰＣ２２の各実装面２２６が配置された状態で、ＦＰＣ２２が補強片２４１に固定される。
【００３５】
ちなみに、ＦＰＣ２２が補強片２４１に固定された状態で、各実装面２２６の裏側に位置するＬＥＤチップ２３２は、図５に示すように、各平坦面２４２に形成された凹部２４４の存在によって、平坦面２４２への干渉を免れている。
【００３６】
上述のようにＦＰＣ２２が補強片２４１に固定された抑え部材２４は、図２に示すように、４箇所のねじ孔２４１を通して収納溝２１２の対応する雌ねじ部２１４にねじ止めされる取り付けねじ２５（請求項中の固定部材に相当）によってリング部材２に固定され、この固定により、収納溝２１２内に延出する補強片２４１の各平坦面２４２に沿って配置されたＦＰＣ２２の各実装面２２６は、リング部材２の開口２１３から収納溝２１２への挿入方向に延在するように収納溝２１２内に配置される。
【００３７】
そして、ＦＰＣ２２の各実装面２２６のＬＥＤチップ２３１，２３２が、リング部材２の対応する各発光部２Ａ〜２Ｌに近接して配置されると共に、ＦＰＣ２２の副基板部２２８が、リング部材２の開口部２１３と抑え部材２４との隙間からリング部材２の外部に引き出されて、ＬＥＤドライバ回路側からの電気配線（図示せず）に接続される。
【００３８】
尚、図５に示すように、収納溝２１２内に延出する状態で固定された抑え部材２４の補強片２４１やこれに固定されたＦＰＣ２２は、収納溝２１２の雌ねじ部２１４やこれにねじ止めされる取り付けねじ２５の外側に避けて配置される。
【００３９】
このように本実施形態によれば、ＬＣＤ３の表示面３ａの前方に配置した、表示面３ａの一部領域を囲むように視認されるリング部材２の裏面側に開口２１３を有する収納溝２１２に、リング部材２の全周に亘って間隔をおいて設けられた複数のＬＥＤチップ２３１，２３２と、それら各ＬＥＤチップ２３１，２３２が実装面２２６に実装されたＦＰＣ２２とを収納し、ＦＰＣ２２から供給される電力により点灯する各ＬＥＤチップ２３１，２３２によって、リング部材２の前面側に設けられた複数の発光部２Ａ〜２Ｌをそれぞれ発光させる車両用表示装置１において、次のような構成を採用した。
【００４０】
即ち、ＦＰＣ２２を、開口２１３から収納溝２１２へのＦＰＣ２２の挿入方向に実装面２２６が延在するように収納溝２１２に収納し、ＬＥＤチップ２３１，２３２やＦＣＣ２２が収納された収納溝２１２の開口２１３を塞ぐ抑え部材２４を、ＦＰＣ２２を避けて収納溝２１２に挿入されて雌ねじ部２１４にねじ止めされる取り付けねじ２５により、リング部材２に固定する構成とした。
【００４１】
このため、抑え部材２４をリング部材２に取り付け固定する取り付けねじ２５の収納に必要なスペースを収納溝２１２に確保しつつ、ＦＰＣ２２を収納するために必要なスペースをさらに収納溝２１２に確保する上で、実装面２２６を発光部２Ａ〜２Ｌに対向させてＦＰＣ２２を収納溝２１２に収納する場合に比べて、リング部材２の幅方向に必要な収納溝２１２のスペースを抑え、それにより、リング部材２の幅を極力細く抑えることができる。
【００４２】
尚、上述した実施形態では、ＦＰＣ２２側に係止片２２７を設け、係止片２２７が係止可能な係止部２４３を抑え部材２４側に設ける構成としたが、抑え部材２４側に係止片を設け、係止片が係止可能な係止部をＦＰＣ２２側に設ける構成としてもよい。
【００４３】
また、ＦＰＣ２２や抑え部材２４の係止片２２７や係止部２４３は、省略してもよいが、これらを設ける構成とした方が、取り付けねじ２５によりリング部材２に固定される抑え部材２４の補強片２４１に対してＦＰＣ２２を固定し、収納溝２１２内でＦＰＣ２２を位置決めすることができるので、有利である。
【００４４】
さらに、抑え部材２４に環状の補強片２４１を設けてその外周にＦＰＣ２２を嵌装し、補強片２４１を構成する複数の平坦面２４２にＦＰＣ２２の各実装面２２６を沿わせて配置する構成は、省略してもよいが、この構成を設ければ、各実装面２２６の導電パターン束２２２，２２３、２２４，２２５と、各実装面２２６に実装されたＬＥＤチップ２３１，２３２との電気的接続が、平坦面２４２に沿わせることで湾曲させず平坦に延在させた実装面２２６上で行われることになり、両者の電気的接続不良の発生を防ぐことができるので、有利である。
【００４５】
また、本実施形態では、ＦＰＣ２２の主基板部２２１の全体に亘って、ＬＥＤチップ２３１，２３２側を表にして２つの導電パターン束２２２，２２３、２２４，２２５の中心でＦＰＣ２２を折り返して重ねることで、表裏両側にＬＥＤチップ２３１，２３２を実装した実装面２２６を構成する場合について説明した。
【００４６】
しかし、例えば、図６に展開状態における要部拡大平面図で示すように、ＬＥＤチップ２３１，２３２の実装箇所付近のみ主基板部２２１を幅広として、ＬＥＤチップ２３２が実装された幅広部分を折り返す構成としたり、図７に展開状態における要部拡大平面図で示すように、両面印刷のＦＰＣ２２を用いる等、表裏両側にＬＥＤチップ２３１，２３２を実装した実装面２２６を構成するための構成は、図３に示す本実施形態の構成に限らず任意である。
【００４７】
さらに、上述した実施形態では、ディスプレイとしてＬＣＤを用いているが、本発明では、表示内容を電気プログラム的に変化させることができるものであれば、これに限らず、有機ＥＬやプラズマディスプレイ等の他の表示素子を用いることができる。
【００４８】
また、リング部材２は、円形に限らず、たとえば四角形等の多角形状や、円の一部が直線となっている形状などの、表示を仕切る環状の形状であれば良い。
【００４９】
さらに、上述した実施形態では、車両用表示装置１を例に取って本発明を説明したが、本発明は車両用表示装置に限らず、ディスプレイの表示面の前方に配置した環状部材により、ディスプレイの表示面上の一部領域を囲むように表示面の前方から視認させる構成の表示装置であれば、環状部材がディスプレイの表示面に沿って移動可能であるか否かを問わず、車両用以外の用途の表示装置についても適用可能である。
【図面の簡単な説明】
【００５０】
【図１】本発明の表示装置の一実施形態に係る車両用表示装置を示す前面分解斜視図である。
【図２】示す環状部材周りの裏面側から見た分解斜視図である。
【図３】図２の車両用表示装置における移動機構の分解斜視図である。
【図４】図２に示すＦＰＣの展開状態における要部拡大平面図である。
【図５】図２に示す環状部材周りの組み付け状態を示す要部拡大斜視図である。
【図６】他の実施形態に係るＦＰＣの展開状態における要部拡大平面図である。
【図７】他の実施形態に係るＦＰＣの展開状態における要部拡大平面図である。
【符号の説明】
【００５１】
１  車両用表示装置
２  リング部材（環状部材）
２Ａ〜２Ｌ  発光部
２１１  前面
２１２  収納溝
２１３  開口
２２  ＦＰＣ（電気配線）
２２６  実装面
２２７  係止片
２３１，２３２  ＬＥＤチップ（光源）
２４  抑え部材
２４１  補強片
２４２  平坦面
２４３  係止部
２５  取り付けねじ（固定部材）
３  液晶ディスプレイ（ディスプレイ）
３ａ  表示面
【図１】
2008032972.tif 000003
【図２】
2008032972.tif 000004
【図３】
2008032972.tif 000005
【図４】
2008032972.tif 000006
【図５】
2008032972.tif 000007
【図６】
2008032972.tif 000008
【図７】
2008032972.tif 000009